(57)【要約】【課題】アンケートに回答する人を事前に決める必要なく意味情報ネットワーク中を流通する流通情報をもとに市場調査を行うことを可能とする。【解決手段】流通情報統計装置４０は、受信するイベントのイベントタイプ名のみを指定してイベントプロパティ名およびイベントプロパティ値にワイルドカード“＊”を設定することによりイベントプロパティを指定しないフィルタ３３をＳＩＯＮｅｔ（意味情報ネットワーク）２０に設定して、ＳＩＯＮｅｔ２０中を流れるイベントのうち統計の対象となるイベントのみを収集する。そして、流通情報統計装置４０は、収集したイベントから統計情報を抽出して統計化を行う。【選択図】      図１
2004310430.tif 000002
【特許請求の範囲】
【請求項１】
データをイベントとして送信する送信端末と、イベントとして送信された前記データを選択的に受信するために、イベントのタイプと取得条件とからなるフィルタが設定される受信端末とから構成される意味情報ネットワーク中を流通する流通情報を収集し統計処理を行うための流通情報統計方法であって、
前記意味情報ネットワーク中を流れるイベントのうち統計の対象となるイベントのみを収集するステップと、
収集したイベントから統計情報を抽出するステップと、
抽出された前記統計情報を用いて統計化を行うステップとを有する流通情報統計方法。
【請求項２】
前記意味情報ネットワーク中を流れるイベントのうち統計の対象となるイベントのみを収集するステップが、
受信するイベントのイベントタイプ名のみを指定してイベントプロパティ名およびイベントプロパティ値はワイルドカードを設定することによりイベントプロパティを指定しないフィルタを意味情報ネットワークに設定するステップである請求項１記載の流通情報統計方法。
【請求項３】
統計情報収集機能の使用申出信号を統計情報収集機能使用権管理サーバに送信するステップと、
前記統計情報収集機能使用権管理サーバから統計情報収集を許可する旨の許可信号を受信した場合にのみ統計情報収集機能の使用を可能にするステップとをさらに有する請求項１または２記載の流通情報統計方法。
【請求項４】
前記統計情報収集機能の使用を可能にするステップは、課金処理を行うステップが含まれる請求項３記載の流通情報統計方法。
【請求項５】
データをイベントとして送信する送信端末と、イベントとして送信された前記データを選択的に受信するために、イベントのタイプと取得条件とからなるフィルタが設定される受信端末とから構成される意味情報ネットワーク中を流通する流通情報を収集し統計処理を行うための流通情報統計装置であって、
前記意味情報ネットワーク中を流れるイベントのうち統計の対象となるイベントのみを収集し、収集されたイベントから統計情報を抽出する統計情報抽出手段と、抽出された前記統計情報を用いて統計化を行う統計化手段とを有する流通情報統計装置。
【請求項６】
前記統計情報抽出手段は、受信するイベントのイベントタイプ名のみを指定してイベントプロパティ名およびイベントプロパティ値にワイルドカードを設定することによりイベントプロパティを指定しないフィルタを意味情報ネットワークに設定して、前記意味情報ネットワーク中を流れるイベントのうち統計の対象となるイベントのみを収集する請求項５記載の流通情報統計装置。
【請求項７】
前記統計情報抽出手段は、統計情報収集機能の使用申出信号を統計情報収集機能使用権管理サーバに送信し、該統計情報収集機能使用権管理サーバから統計情報収集を許可する旨の許可信号を受信した場合にのみ統計情報収集機能の使用を可能にする情報制御手段を含む請求項５または６記載の流通情報統計装置。
【請求項８】
前記情報制御手段は、統計情報収集機能の使用を可能とする際に課金処理を行う請求項７記載の流通情報統計装置。
【請求項９】
データをイベントとして送信する送信端末と、イベントとして送信された前記データを選択的に受信するために、イベントのタイプと取得条件とからなるフィルタが設定される受信端末とから構成される意味情報ネットワーク中を流通する流通情報を収集し統計処理を行うための流通情報統計システムであって、
統計情報収集機能の使用権の管理を行っている統計情報収集機能使用権管理サーバと、
統計情報収集機能の使用申出信号を前記統計情報収集機能使用権管理サーバに送信し、該統計情報収集機能使用権管理サーバから統計情報収集を許可する旨の許可信号を受信した場合にのみ統計情報収集機能の使用を可能にする情報制御手段と、前記情報制御手段により統計情報収集機能の使用が可能となった場合に前記意味情報ネットワーク中を流れるイベントのうち統計の対象となるイベントのみを収集し、収集されたイベントから統計情報を抽出する統計情報抽出手段と、抽出された前記統計情報を用いて統計化を行う統計化手段とを有する流通情報統計装置と、から構成される流通情報統計システム。
【請求項１０】
前記統計情報抽出手段は、受信するイベントのイベントタイプ名のみを指定してイベントプロパティ名およびイベントプロパティ値にワイルドカードを設定することによりイベントプロパティを指定しないフィルタを意味情報ネットワークに設定して、前記意味情報ネットワーク中を流れるイベントのうち統計の対象となるイベントのみを収集する請求項９記載の流通情報統計システム。
【請求項１１】
前記情報制御手段は、統計情報収集機能の使用を可能とする際に課金処理を行う請求項１０記載の流通情報統計システム。
【請求項１２】
データをイベントとして送信する送信端末と、イベントとして送信された前記データを選択的に受信するために、イベントのタイプと取得条件とからなるフィルタが設定される受信端末とから構成される意味情報ネットワーク中を流通する流通情報を収集し統計処理を行うための流通情報統計方法をコンピュータに実行させるためのプログラムであって、
前記意味情報ネットワーク中を流れるイベントのうち統計の対象となるイベントのみを収集する処理と、
収集したイベントから統計情報を抽出する処理と、
抽出された前記統計情報を用いて統計化を行う処理とをコンピュータに実行させるためのプログラム。
【請求項１３】
前記意味情報ネットワーク中を流れるイベントのうち統計の対象となるイベントのみを収集する処理が、
受信するイベントのイベントタイプ名のみを指定してイベントプロパティ名およびイベントプロパティ値にワイルドカードを設定することによりイベントプロパティを指定しないフィルタを意味情報ネットワークに設定する処理である請求項１２記載のプログラム。
【請求項１４】
統計情報収集機能の使用申出信号を統計情報収集機能使用権管理サーバに送信する処理と、
前記統計情報収集機能使用権管理サーバから統計情報収集を許可する旨の許可信号を受信した場合にのみ統計情報収集機能の使用を可能にする処理とをさらにコンピュータに実行させる１２または１３記載のプログラム。
【請求項１５】
前記統計情報収集機能の使用を可能にする処理は、課金処理を行う処理が含まれる請求項１４記載のプログラム。
【発明の詳細な説明】
【０００１】
【発明の属する技術分野】
本発明は、データをイベントとして送信する送信端末と、イベントとして送信された前記データを選択的に受信するために、イベントのタイプと取得条件とからなるフィルタが設定される受信端末とから構成される意味情報ネットワーク中を流通している情報をもとに市場調査を行う流通情報統計方法およびシステムとその流通情報統計装置に関する。
【０００２】
【従来の技術】
従来、ネットワークを利用して市場調査を行うとした場合、インターネットを使ったアンケート調査に代表されるように、調査をしたい人とアンケートに答える人の間には、アンケート調査の仲介を行う仲介者のサーバを置くことがシステムを構成する条件になっている。しかしながら仲介者のサーバを置くことについては下記の問題がある。
（１）調査をしたい人、アンケートに答える人の数が多くなり、アンケートに答える人等の入れ替わりが多くなると、サーバの規模が拡大するとともに蓄積内容の変更を頻繁に行わなければならなくなり、リアルタイムに対応することが困難になる。
（２）調査をしたい人、アンケートに答える人のいずれも仲介者の存在を知り、仲介者が運営するダウンロードサーバやＦＴＰサーバに接続することが必要になるが、各々が自分にとって最適な仲介者のサービスを探すことは困難である。
（３）仲介者のサービスの運営方針に従わなければならない。
（４）仲介料が発生する。
【０００３】
一方、サーバを用いないネットワークシステムとしては、非特許文献１において、情報提供者が情報を配布すべき最適なユーザを特定することができ、またエンドユーザが最適な情報を特定することができる意味情報ネットワークが公開されている。この意味情報ネットワークは、データをイベントとして送信する送信端末と、イベントとして送信された前記データを選択的に受信するために、イベントのタイプと取得条件（プロパティ）とからなるフィルタが設定される受信端末とから構成される。
【０００４】
また特許文献１には、上記の意味情報ネットワークを用い、アンケート調査をしたいアンケート希望者と、アンケートに答えるアンケート応答者の間にサーバを置かない方法が公開されている。しかしながらアンケートに答える人を予め決めておくことを条件にしており、答える人を決める時間とコストがかかり、さらにアンケートに答える人が必ずしも市場を代表する人ではない可能性があるという問題点もある。
【０００５】
【特許文献１】
特開２００２−１８３４０３号公報
【非特許文献１】
星合隆成他“意味情報ネットワークアーキテクチャ”電子情報通信学会論文誌Ｂ，Ｖｏｌ．Ｊ８４−Ｂ，Ｎｏ．３  ｐｐ４１１−４２４
【０００６】
【発明が解決しようとしている課題】
上記のように、従来のシステムでは下記のような問題点があった。
【０００７】
（１）サーバ方式は、調査をしたい人、アンケートに答える人の数が多くなり、アンケートに答える人等の入れ替わりが多くなると、大規模なサーバを設備しなければならなくなりコストがかかるとともにリアルタイムに対応することが難しくなる。
【０００８】
（２）またサーバを用いない意味情報ネットワークを用いた方法では、サーバを使うことによる問題はなくなるが、アンケートに答える人を予め決めておくことを条件としているため、決めるための時間とコストがかかること、さらにアンケートに答える人が市場を代表する人であるという保証がない。
【０００９】
本発明の目的は、上記の問題を解決するために、意味情報ネットワークを用い、回答する人を事前に決める必要なく意味情報ネットワーク中を流通する流通情報をもとに市場調査を行うことが可能となる流通情報統計方法およびシステムとその流通情報統計装置を提供することにある。
【００１０】
【課題を解決するための手段】
上記課題を解決するために、本発明の流通情報統計装置は、データをイベントとして送信する送信端末と、イベントとして送信された前記データを選択的に受信するために、イベントのタイプと取得条件とからなるフィルタが設定される受信端末とから構成される意味情報ネットワーク中を流通する流通情報を収集し統計処理を行うための流通情報統計装置であって、
前記意味情報ネットワーク中を流れるイベントのうち統計の対象となるイベントのみを収集し、収集されたイベントから統計情報を抽出する統計情報抽出手段と、抽出された前記統計情報を用いて統計化を行う統計化手段とを有する。
【００１１】
本発明によれば、意味情報ネットワーク中を流れるイベントのうち統計の対象となるイベントのみを収集し、収集されたイベントから統計情報を抽出して統計化を行うようにしているので、アンケート調査に答えてくれる人を事前に募集する必要がなく、募集のための時間やコストが節約でき、作為の入る余地がなく、リアルタイムで融通性のある調査が可能になる。
【００１２】
また、本発明の他の流通情報統計装置では、統計情報抽出手段が、受信するイベントのイベントタイプ名のみを指定してイベントプロパティ名およびイベントプロパティ値にワイルドカードを設定することによりイベントプロパティを指定しないフィルタを意味情報ネットワークに設定して、前記意味情報ネットワーク中を流れるイベントのうち統計の対象となるイベントのみを収集する。
【００１３】
本発明によれば、イベントタイプのみを指定してイベントプロパティタイプ名およびイベントプロパティ値にワイルドカードを設定してイベントプロパティを指定しないフィルタをを意味情報ネットワークに設定することにより、イベントタイプが同一の全てのイベントを収集し、収集したイベントに基づいて統計情報を生成するようにしているので、アンケート調査に答えてくれる人を事前に募集する必要がなく、募集のための時間やコストが節約でき、作為の入る余地がなく、リアルタイムで融通性のある調査が可能になる。
【００１４】
さらに、本発明の他の流通情報統計装置では、統計情報抽出手段は、統計情報収集機能の使用申出信号を統計情報収集機能使用権管理サーバに送信し、該統計情報収集機能使用権管理サーバから統計情報収集を許可する旨の許可信号を受信した場合にのみ統計情報収集機能の使用を可能にする情報制御手段を含むようにしてもよい。そして、この情報制御手段は、統計情報収集機能の使用を可能とする際に課金処理を行うようにしてもよい。
【００１５】
本発明によれば、統計情報収集機能の使用権の管理を行っている統計情報収集機能使用権管理サーバにより統計情報収集機能の許可を行うことにより、統計情報の収集を行おうとうする市場調査ユーザに対して課金処理を行うことが可能となる。
【００１６】
【発明の実施の形態】
次に、本発明の実施の形態について図面を参照して詳細に説明する。図１は、本発明の一実施形態の流通情報統計システムの構成を示すシステム図である。
【００１７】
本実施形態の流通情報統計システムは、伝達ネットワーク１０と、意味情報ネットワーク（Ｓｅｍａｎｔｉｃ  Ｉｎｆｏｒｍａｔｉｏｎ−Ｏｒｉｅｎｔｅｄ  Ｎｅｔｗｏｒｋ    以下ＳＩＯＮｅｔと称する）２０と、市場調査を行いたい市場調査ユーザのＰＣ（Ｐｅｒｓｏｎａｌ  Ｃｏｍｐｕｔｅｒ）等の流通情報統計装置４０と、ＳＩＯＮｅｔ２０の利用者であるユーザＡのＰＣ等の端末装置４１と、以下同様にユーザＢの端末装置４２と、ユーザＣの端末装置４３と、ユーザＤの端末装置４４と、統計情報収集機能使用権管理サーバ４５とから構成されている。伝達ネットワーク１０は、具体的にはインターネット等のＩＰ（Ｉｎｔｅｒｎｅｔ  Ｐｒｏｔｏｃｏｌ）通信網により実現される。
【００１８】
流通情報統計装置４０、端末装置４１〜４４は、伝達ネットワーク１０とは物理的に、またＳＩＯＮｅｔ２０とは論理的に接続されており、流通情報統計装置４０と統計情報収集機能使用権管理サーバ４５は通信回線を介して接続されている。流通情報統計装置４０は、ＳＩＯＮｅｔ２０と共同して機能するプログラムおよびＳＩＯＮｅｔ２０を構築するＳＩ−ＳＷ（Ｓｅｍａｎｔｉｃ  Ｉｎｆｏｒｍａｔｉｏｎ−Ｓｗｉｔｃｈ：意味情報スイッチ）、ＳＩ−Ｒ（Ｓｅｍａｎｔｉｃ  Ｉｎｆｏｒｍａｔｉｏｎ  −Ｒｏｕｔｅｒ：意味情報ルータ）等のプログラムをインストールすることにより自身の端末装置にイベントプレース（ＥＰ）を生成するか、あるいはＳＩＯＮｅｔ２０と共同して機能するプログラムをインストールし他のネットワーク上にあるイベントプレース（ＥＰ）へアクセスしてセッションを確立することにより、ＳＩＯＮｅｔ２０に接続されていることを前提とする。また流通情報統計装置４０には、収集したイベントから統計情報を抽出・整形・統計化等を行う流通情報統計アプリケーション４０１が実装されている。統計情報収集機能使用権管理サーバ４５は、統計情報収集機能の使用権の管理を行っていて、統計情報収集機能の使用状況を統計情報収集機能の使用申出信号から判断し課金内容を決めることができる機能を有する。
【００１９】
端末装置４１、４４は、それぞれフィルタ３１、３２をＳＩＯＮｅｔ２０に設定してイベントの受信を行っている。流通情報統計装置４０は、フィルタ３３をＳＩＯＮｅｔ２０に設定することにより、統計情報の収集を行っている。
【００２０】
本実施形態の流通情報統計システムは、流通情報統計装置４０によりＳＩＯＮｅｔ２０に設定されるフィルタ３３のイベントプロパティ名とイベントプロパティ値にワイルドカード“＊”を設定することによりイベントタイプ名が一致する全てのイベントを受信するようにして、どのようなプロパティが設定されたイベントがＳＩＯＮｅｔ２０中を流通しているかを調査して統計化することにより市場調査を可能にするものである。
【００２１】
ＳＩＯＮｅｔ２０に設定されるフィルタは、図２に示されるように、受け付けるイベントタイプと、イベントプロパティ名およびイベントプロパティ値が設定できるようになっている。イベントタイプ名で定義されたイベントタイプがフィルタに設定されると、設定されたイベントタイプに属するイベントのみが、フィルタリングの対象となる。イベントプロパティとイベントプロパティ値とはペアになっていて、フィルタに設定されたイベントプロパティを有するイベントのうち、フィルタに設定されたイベントプロパティ値の条件に合致したもののみがフィルタを通過するようになっている。
【００２２】
従って、図３に示すように、イベントプロパティ名／イベントプロパティ値に、それぞれワイルドカード“＊”を指定することにより、フィルタではイベントプロパティの照合が行われなくなり、イベントタイプ名の照合のみが行われるようになる。そのため、イベントプロパティ名およびイベントプロパティ値に、それぞれワイルドカード“＊”が指定されたフィルタを用いることにより、定義されたイベントタイプと同一のイベントタイプが設定された全てのイベントを受信することが可能となる。このようにして、流通情報統計装置４０は、ＳＩＯＮｅｔ２０中を流れるイベントのうち統計の対象となるイベントのみを収集する。
【００２３】
本実施形態の流通情報統計システムは、従来のアンケート調査に比べ、アンケートに答える人を予め決めておくことを条件にしないところに特徴がある。
【００２４】
次に、図４〜図６に基づいてイベントを収集するためのフィルタの設定例、収集したイベント例、統計化例について説明する。
【００２５】
図４（ａ）は商品についての調査を行うために、商品情報を対象にしているイベントタイプ名のＸを指定し、イベントプロパティ名／イベントプロパティ値にワイルドカード“＊”を設定した例である。この図４（ａ）に示したフィルタを設定することにより、イベントタイプ名が“商品情報サービス”で、イベントプロパティに商品名を設定した全てのイベントを収集することができる。図４（ｂ）は、商品Ａ〜商品Ｄの５種類のイベントが収集された例を示している。図４（ｃ）は、収集したイベントから得られる統計化の例を示している。図４（ｃ）は期間について統計化した例であるが期間に限らず、１日の中での時間帯、曜日、天候等を基軸にした調査が可能である。
【００２６】
図５および図６はイベントタイプ名を変えた場合の調査の例であり、図５は車の情報について、図６は観光地の情報について同様に調査ができることを示している。このようにイベントタイプ名の設定を変えるだけで調査対象の変更に柔軟に対応することができる。
【００２７】
次に、本実施形態の流通情報統計システムの動作を図７のシーケンスチャートを参照して説明する。ここでは、統計情報収集機能使用権管理サーバ４５、流通情報統計装置４０、端末装置Ａ４１〜Ｄ４４間の動作を説明している。
【００２８】
統計情報収集機能の使用を可能にするために流通情報統計装置４０は、市場調査ユーザから調査条件を入力し（ステップＳ１）、統計情報収集機能の使用の申出信号を統計情報収集機能使用権管理サーバ４５に送信する（ステップＳ２）。流通情報統計装置４０は、統計情報収集機能使用権管理サーバ４５により送信された課金情報を含む使用許可信号を受信し（ステップＳ３）、対象となる全ての流通情報を収集するために収集対象となるイベントタイプ名等を設定して（ステップＳ４）、ＳＩＯＮｅｔ２０にフィルタ３３を設定する（ステップＳ５）。この状態において、例えばユーザＡの端末装置４１がイベントを送信すると、このイベントはユーザＢの端末装置４２に受信されるとともにフィルタ３３を発火して流通情報統計装置４０にも受信される（ステップＳ６）。またユーザＣの端末装置４３がイベントを送信すると、このイベントはユーザＤの端末装置４４に受信されるとともにフィルタ３３を発火して流通情報統計装置４０にも受信される（ステップＳ７）。このようにしてイベントを受信した流通情報統計装置４０は、流通情報を処理するために収集イベントから統計情報を抽出し（ステップＳ８）、抽出した情報を整形し統計化し（ステップＳ９）、結果を市場調査ユーザ３０に通知する（ステップＳ１０）。なお、図７中の▲１▼〜▲６▼は、図１の番号に対応している。
【００２９】
図８は、図１中の流通情報統計装置４０の一実施の形態のソフトウェアからみた機能ブロック図である。流通情報統計装置４０は、ＵＮＩＸ（登録商標）、Ｗｉｎｄｏｗｓ（登録商標）等のＯＳ（Ｏｐｅｒａｔｉｎｇ  Ｓｙｓｔｅｍ）４０２と、このＯＳ４０２の上にＣＯＲＢＡまたはＳＯＡＰ準拠のミドルウェア４０３と、ＳＩＯＮｅｔ対応部４０４と、流通情報統計アプリケーション４０１から構成される。
【００３０】
ＳＩＯＮｅｔ対応部４０４は、ミドルウェア４０３の上にＳＩＯＮｅｔと共同して機能するプログラムおよびＳＩＯＮｅｔを構築するためのプログラムをインストールすることにより自身の端末にイベントプレース（ＥＰ）を生成するか、あるいはＳＩＯＮｅｔと共同して機能するプログラムをインストールし他のネットワークノード上にあるイベントプレース（ＥＰ）にアクセスしてセッションを確立することにより、ＳＩＯＮｅｔに接続する。
【００３１】
また流通情報統計アプリケーション４０１は、機能としては、ＳＩＯＮｅｔ２０中を流れるイベントのうち統計の対象となるイベントのみを収集し、収集されたイベントから統計情報を抽出する統計情報抽出部４０１１と、抽出された統計情報を用いて統計化を行う統計化部４０１２と、市場調査ユーザが入力操作する情報の受信および画面表示等の信号の入出力を行う入出力部４０１３とから構成される。さらに統計情報抽出部４０１１は、情報の制御を行う情報制御部４０１１１と、統計情報収集機能の使用の申出信号等を送信する送信情報作成部４０１１２と、フィルタの作成を行うフィルタ作成部４０１１３と、許可信号等を受信する情報受信部４０１１４と、イベント情報を受信するイベント情報受信部４０１１５と、抽出した統計情報を蓄積する統計情報蓄積部４０１１６とから構成される。流通情報統計アプリケーション４０１は、これらの各部の機能により、対象となる全イベントを収集し、統計情報を抽出し、統計化を行う。
【００３２】
また、情報制御部４０１１１は、統計情報収集機能の使用申出信号を統計情報収集機能使用権管理サーバ４５に送信し、統計情報収集機能使用権管理サーバ４５から統計情報収集を許可する旨の許可信号を受信した場合にのみ統計情報収集機能の使用を可能にする。そして、情報制御部４０１１１は、統計情報収集機能使用権管理サーバ４５からの使用許可信号に含まれる課金情報を用いて統計情報収集機能の使用を可能とする際に課金処理を行う。
【００３３】
図９は、図８に示した流通条項統計装置４０の動作を示すフローチャートである。先ず入出力部４０１３が市場調査ユーザから統計情報の収集を行う条件を入力すると（ステップＳ２２）、送信情報作成部４０１１２および情報受信部４０１１４において統計情報収集機能の使用の申出信号の送信、許可信号の受信を行う（ステップＳ２３）。次に、フィルタ作成部４０１１３において収集の対象となるイベントタイプ名等の設定を行い（ステップＳ２４）、イベント情報受信部４０１１５により収集イベントの情報の受信を行う（ステップＳ２５）。そして、統計情報蓄積部４０１１６において収集イベントの情報から統計情報の抽出および蓄積を行い（ステップＳ２６）、統計化部４０１２において統計情報蓄積部４０１１６に蓄積した統計情報を整形し統計化する（ステップＳ２７）。最後に、入出力部４０１３において市場調査ユーザ３０に結果通知の準備（画面設定）を行い、統計情報の収集結果を通知（表示）する（ステップＳ２８）。
【００３４】
本実施形態の流通情報統計システムによれば、イベントタイプのみを指定してイベントプロパティタイプ名およびイベントプロパティ値にワイルドカード“＊”を設定してイベントプロパティを指定しないフィルタををＳＩＯＮｅｔ２０に設定することにより、イベントタイプが同一の全てのイベントを収集し、収集したイベントに基づいて統計情報を生成するようにしているので、アンケート調査に答えてくれる人を事前に募集する必要がなく、募集のための時間やコストが節約でき、作為の入る余地がなく、リアルタイムで融通性のある調査が可能になる。
【００３５】
さらに、ＳＩＯＮｅｔ２０を利用して流通されている通常の情報を何ら加工することなく収集し、その流通情報から統計をとるため、市場調査用にアンケート回答者を募集するような処理が不要である。また、アンケート回答者を募集するような形で対象者を絞るのではなく、流通されている情報をそのまま入手しているので、より実体に近い統計情報をとることができる。また、市場調査のアンケート用Ｗｅｂページを開設する必要がないため、Ｗｅｂページを開設する手続きや費用が不要となる。さらに、敢えてアンケート回答者を募集する必要がないため、謝礼など調査実施時のコストがかからない。
【００３６】
本実施形態では、統計情報収集機能使用権管理サーバ４５を設けて、流通情報統計装置４０は、統計情報収集機能使用権管理サーバ４５からの使用許可信号を受信しなければ統計情報の収集を行うことができない場合を用いて説明したが、本発明はこれに限定されるものではない。つまり、統計情報収集機能使用権管理サーバ４５を設けずに、流通情報統計装置４０が制限されずにいつでも統計情報の収集を行うことができるようにした場合でも同様に本発明を適用することができるものである。ただし、統計情報収集機能使用権管理サーバ４５により統計情報収集機能の許可を行うことにより、統計情報の収集を行おうとうする市場調査ユーザに対して課金処理を行うことが可能となる。
【００３７】
また、図には示されていないが、本実施形態における流通情報統計装置４０は、上記で説明した流通情報統計方法を実行するためのプログラムを記録した記録媒体を備えている。この記録媒体は磁気ディスク、半導体メモリまたはその他の記録媒体であってもよい。このプログラムは、記録媒体から流通情報統計装置４０に読み込まれ、流通情報統計装置４０の動作を制御する。具体的には、流通情報統計装置４０内のＣＰＵがこのプログラムの制御により流通情報統計装置４０のハードウェア資源に特定の処理を行うように指示することにより上記の処理が実現される。
【００３８】
【発明の効果】
以上説明したように、本発明によれば、下記のような効果を得ることができる。
（１）意味情報ネットワーク（ＳＩＯＮｅｔ）を利用して流通されている通常の情報を何ら加工することなく収集し、その流通情報から統計をとるため、市場調査用にアンケート回答者を募集するような処理が不要である。
（２）市場調査のアンケート用Ｗｅｂページを開設する必要がないため、Ｗｅｂページを開設する手続きや費用が不要である。
（３）敢えてアンケート回答者を募集する必要がないため、謝礼など調査実施時のコストがかからない。
（４）アンケート回答者を募集するような形で対象者を絞るのではなく、流通されている情報をそのまま入手しているので、より実体に近い統計情報をとることができる。
【図面の簡単な説明】
【図１】本発明の一実施形態の流通情報統計システムの構成を示すシステム図である。
【図２】意味情報ネットワークに設定するフィルタの構成を説明する図である。
【図３】流通情報を収集するためのフィルタの設定方法を説明するための図である。
【図４】統計化の具体的な方法を説明するための図である。
【図５】統計化の具体的な方法を説明するための図である。
【図６】統計化の具体的な方法を説明するための図である。
【図７】本発明の一実施形態の流通情報統計システムの処理の流れを示すシーケンスチャートである。
【図８】流通情報統計装置４０の構成を示すブロック図である。
【図９】図８に示した流通情報統計装置４０の動作を示すフローチャートである。
【符号の説明】
１０    伝達ネットワーク
２０    意味情報ネットワーク（ＳＩＯＮｅｔ）
３１〜３３    フィルタ
４０    流通情報統計装置
４０１    流通情報統計アプリケーション
４０１１    統計情報抽出部
４０１１１    情報制御部
４０１１２    送信情報作成部
４０１１３    フィルタ作成部
４０１１４    情報受信部
４０１１５    イベント情報受信部
４０１１６    統計情報蓄積部
４０１２    統計化部
４０１３    入出力部
４０２    ＯＳ
４０３    ミドルウェア
４０４    ＳＩＯＮｅｔ対応部
４１〜４４    端末装置
４５    統計情報管理サーバ
Ｓ１〜Ｓ１０    ステップ
Ｓ２２〜Ｓ２８    ステップ
【図１】
2004310430.tif 000003
【図２】
2004310430.tif 000004
【図３】
2004310430.tif 000005
【図４】
2004310430.tif 000006
【図５】
2004310430.tif 000007
【図６】
2004310430.tif 000008
【図７】
2004310430.tif 000009
【図８】
2004310430.tif 000010
【図９】
2004310430.tif 000011